(57)【要約】【課題】  未完成の立体画であっても、製造途中の立体画を容易に保管又は移動することができる立体画の製造方法を提供するものである。【解決手段】  立体画１００の製造方法は、基材１、図柄４の各構成部分４ａに対応して分割し基材１に対して剥離可能な剥離フィルム２、及び、基材１に剥離フィルム２を剥離可能に貼着する粘着剤３、を積層してなる基板１０における、図柄４の各構成部分４ａのうち、少なくとも１つの構成部分４ａに対応する剥離フィルム２を基材１に対して剥離する剥離工程と、剥離フィルム２を剥離した図柄４の構成部分４ａに対応する基材１の表面に、粘着剤３を介して、水溶性接着剤を含有した糸５を載置する載置工程と、基材１の表面に載置した糸５に水分７を与え、糸５に含有させた水溶性接着剤を一時的に溶解させ、溶解した水溶性接着剤により糸５と隣接する糸５又は前記粘着剤３とを固着する固着工程と、を備えている。【選択図】        図９
2008055626.tif 000002
【特許請求の範囲】
【請求項１】
基材上に粘着剤を介して複数本の糸を配置することで図柄を構成する立体画の製造方法において、
前記基材、前記図柄の各構成部分に対応して分割し前記基材に対して剥離可能な剥離フィルム、及び、前記基材に剥離フィルムを剥離可能に貼着する粘着剤、を積層してなる基板における、前記図柄の各構成部分のうち、少なくとも１つの構成部分に対応する剥離フィルムを前記基材に対して剥離する剥離工程と、
前記剥離フィルムを剥離した図柄の構成部分に対応する基材の表面に、前記粘着剤を介して、水溶性接着剤を含有した糸を載置する載置工程と、
前記基材の表面に載置した糸に水分を与え、当該糸に含有させた水溶性接着剤を一時的に溶解させ、溶解した水溶性接着剤により当該糸と隣接する糸又は前記粘着剤とを固着する固着工程と、
を備えたことを特徴とする立体画の製造方法。
【請求項２】
前記請求項１に記載の立体画の製造方法において、
前記載置工程は、前記図柄の各構成部分のうち、少なくとも１つの構成部分に、複数色からなる単色の糸を混在させて載置する工程であり、
前記混在させる各糸は、短片状の糸であることを特徴とする立体画の製造方法。
【請求項３】
前記請求項１又は２に記載の立体画の製造方法において、
前記剥離フィルム及び粘着剤は、半透明体又は透明体であり、
前記基材は、前記図柄が表面に描画され、当該図柄の各構成部分に配置する糸と同系色の色彩が表面に着色されており、
前記載置工程は、前記基材の表面に着色された同系色の色彩に対応する糸を載置すること特徴とする立体画の製造方法。
【請求項４】
前記請求項３に記載の立体画の製造方法において、
前記載置工程は、前記図柄の各構成部分のうち、少なくとも１つの構成部分に、隣り合う糸の隙間から基材の表面に着色された色彩が視認されるように糸を載置することを特徴とする立体画の製造方法。
【発明の詳細な説明】
【技術分野】
【０００１】
この発明は、適度な長さに裁断した糸を基板に貼り付けて図柄を形成するための立体画の製造方法に関し、特に、立体画を容易に作成することができる立体画の製造方法に関する。
【背景技術】
【０００２】
従来の糸を使った工芸画には、刺繍糸を縫いながら形成する刺繍画がある（例えば、非特許文献１参照）。
また、従来の絹糸の張り絵は、台紙の絵又は透明なガラスの全体に半透明な両面接着テープを張り付け、図柄４の物や、風景、背景の全体を糸が重なり合わないように張り合わせたものである（例えば、特許文献１参照）。
【０００３】
また、従来の絹糸の貼り絵方法は、裏面に原図を描いた台紙を貼着したアクリル板の表面に透明又は半透明の両面接着テープを接着し、その際凹凸を形成するため、凸の部分においては複数枚の両面接着テープを積層した後、前記積層された両面接着テープの表面に沿って絹糸を貼り合わせる（例えば、特許文献２参照）
さらに、従来の工芸画の製作方法は、適宜色彩に染色せしめると共に所定の長さに形成せしめた多数の合成樹脂製繊維を水に解いて相互に絡み合った繊維の集塊とせしめ、これを塊状又は所定厚さの層状に掬い上げて基板上に所定の形態を成す様に移載した後水切りし、然る後糊料を添加せしめて繊維の集塊を基板上に貼着せしめる（例えば、特許文献３）。
【０００４】
また、従来の装飾体の製作方法は、軟質樹脂からなるベース材の表面に強粘着性の粘着材層を介して剥離紙が貼設されていると共に、これらの剥離紙及び粘着材層に、ベース材に達する切り込みが所定の図柄を形成するように設けられた基板を用意し、基板の剥離紙を剥離して粘着材層を露呈され、この粘着材層に刺繍糸を貼着する（例えば、特許文献４）。
【０００５】
また、従来の粒綿を使用した立体画作成方法は、離型紙の上に線画を描き又は置き、その線画に沿ってカッターで切れ目を入れ、切れ目の入った離型紙を次々に剥がしながら特定位置に特定の色の粒綿を乗せていき、乗せた粒綿の位置を固定剤で固定させる（例えば、特許文献５）。
【非特許文献１】創作市場−第９号，「針に遊ぶ」，マリア書房，１９９８年６月５日発行，ｐ．６２−６３
【特許文献１】実開平０３−６８５００号公報（第２頁、第２図）
【特許文献２】特開平０８−１８３３００号公報（第２頁、図１）
【特許文献３】特開昭５８−１７８３８８号公報（第１頁−第２頁、第２図）
【特許文献４】特開平０８−１８８０００号公報（第２頁−第３頁、図１）
【特許文献５】特開２００１−７１６９７号公報（第２頁−第３頁、図３）
【発明の開示】
【発明が解決しようとする課題】
【０００６】
従来の張り絵又は貼り絵は、絹糸を台紙、ガラス又はアクリル板上に貼り合わせる度に、両面接着テープを台紙、ガラス又はアクリル板上の該当箇所に貼り付ける必要があり、張り絵又は貼り絵の製作に手間がかかるという問題点があった。特に、ガラス又はアクリル板上に絹糸を張り合わせる場合には、ガラス又はアクリル板を介して図柄を見るために、図柄が見え難く、張り絵又は貼り絵の製作が困難であった。
【０００７】
また、従来の工芸画は、基板上に合成樹脂性繊維を貼着し、図柄が完成すれば、液状糊料の噴霧その他の手段により繊維の集塊に糊料を添加して乾燥し、基板上に図柄を固定して工芸画の製作を完了するものであり、工芸画の製作途中においては、基板と合成樹脂性繊維とは水分によって付着しており、基板と合成樹脂性繊維との貼着が十分ではなく、製作途中の工芸画を保管又は移動することが困難であるという問題点があった。特に、目的の色の糸を作る作業が大変であり、色も自由には作り出せず、図柄に使用する繊維の集塊を作成するのに手間がかかる。
【０００８】
また、従来の装飾体は、完成した装飾体に固着剤を使用することなく、強粘着性の粘着材層によって刺繍糸を基板に貼着しているために、装飾体の製作途中に刺繍糸の配置を容易に変更することができないという問題点があった。特に、隣接する刺繍糸との隙間が生じないように、粘着剤層の周囲から順に内側へ巻くように刺繍糸を貼着しているために、糸の色を混ぜたり、糸を重ねたりすることを意図しておらず、色彩の表現に限界があった。
【０００９】
さらに、従来の立体画は、絵画の作成が一段落した後に、表面を固めるためにヘアスプレーを噴霧するものであり、絵画の製作途中に絵画の表面にヘアスプレーを噴霧した場合には、絵画の未完成の部分に位置する離型紙又は粒綿に接着剤が噴霧されてしまう可能性があり、接着剤が噴霧された離型紙を台紙から剥離することを困難にする場合や、粒綿の位置の修正を行なえなくなってしまうという場合が生じるという問題点があった。
この発明は、上述のような課題を解決するためになされたもので、未完成の立体画であっても、製造途中の立体画を容易に保管又は移動することができる立体画の製造方法を提供するものである。
【課題を解決するための手段】
【００１０】
この発明に係る立体画の製造方法においては、基材上に粘着剤を介して複数本の糸を配置することで図柄を構成する立体画の製造方法において、前記基材、前記図柄の各構成部分に対応して分割し前記基材に対して剥離可能な剥離フィルム、及び、前記基材に剥離フィルムを剥離可能に貼着する粘着剤、を積層してなる基板における、前記図柄の各構成部分のうち、少なくとも１つの構成部分に対応する剥離フィルムを前記基材に対して剥離する剥離工程と、前記剥離フィルムを剥離した図柄の構成部分に対応する基材の表面に、前記粘着剤を介して、水溶性接着剤を含有した糸を載置する載置工程と、前記基材の表面に載置した糸に水分を与え、当該糸に含有させた水溶性接着剤を一時的に溶解させ、溶解した水溶性接着剤により当該糸と隣接する糸又は前記粘着剤とを固着する固着工程と、を備えたものである。
【００１１】
また、この発明に係る立体画の製造方法においては、必要に応じて、前記載置工程は、前記図柄の各構成部分のうち、少なくとも１つの構成部分に、複数色からなる単色の糸を混在させて載置する工程であり、前記混在させる各糸は、短片状の糸である。
【００１２】
また、この発明に係る立体画の製造方法においては、必要に応じて、前記剥離フィルム及び粘着剤は、半透明体又は透明体であり、前記基材は、前記図柄が表面に描画され、当該図柄の各構成部分に配置する糸と同系色の色彩が表面に着色されており、前記載置工程は、前記基材の表面に着色された同系色の色彩に対応する糸を載置する。
【００１３】
また、この発明に係る立体画の製造方法においては、必要に応じて、前記載置工程は、前記図柄の各構成部分のうち、少なくとも１つの構成部分に、隣り合う糸の隙間から基材の表面に着色された色彩が視認されるように糸を載置する。
【発明の効果】
【００１４】
この発明に係る立体画の製造方法においては、基材上に粘着剤を介して複数本の糸を配置することで図柄を構成する立体画の製造方法において、前記基材、前記図柄の各構成部分に対応して分割し前記基材に対して剥離可能な剥離フィルム、及び、前記基材に剥離フィルムを剥離可能に貼着する粘着剤、を積層してなる基板における、前記図柄の各構成部分のうち、少なくとも１つの構成部分に対応する剥離フィルムを前記基材に対して剥離する剥離工程と、前記剥離フィルムを剥離した図柄の構成部分に対応する基材の表面に、前記粘着剤を介して、水溶性接着剤を含有した糸を載置する載置工程と、前記基材の表面に載置した糸に水分を与え、当該糸に含有させた水溶性接着剤を一時的に溶解させ、溶解した水溶性接着剤により当該糸と隣接する糸又は前記粘着剤とを固着する固着工程と、を備えたことにより、未完成の立体画であっても、製造途中の立体画を容易に保管又は移動することができる。特に、立体画の製造者は、製造途中の立体画を立てた状態で見ることができ、異なった視点により立体画を製造することができる。
【００１５】
また、この発明に係る立体画の製造方法においては、必要に応じて、前記載置工程は、前記図柄の各構成部分のうち、少なくとも１つの構成部分に、複数色からなる単色の糸を混在させて載置する工程であり、前記混在させる各糸は、短片状の糸であることにより、並置混色の原理で中間色の色を容易に作り出すことができ、立体画を製造するにあたり製造者による表現の幅を広げることができる。
【００１６】
また、この発明に係る立体画の製造方法においては、必要に応じて、前記剥離フィルム及び粘着剤は、半透明体又は透明体であり、前記基材は、前記図柄が表面に描画され、当該図柄の各構成部分に配置する糸と同系色の色彩が表面に着色されており、前記載置工程は、前記基材の表面に着色された同系色の色彩に対応する糸を載置することにより、剥離フィルムを図柄の各構成部分に対応して分割する場合に、剥離フィルムの表面に図柄を描画する必要もなく、基材の表面に描画された図柄に合わせて分割することが容易である。また、基材の表面に固着した隣り合う糸に隙間が生じている場合であっても、隣り合う糸の隙間を目立たなくすることができる。
【００１７】
また、この発明に係る立体画の製造方法においては、必要に応じて、前記載置工程は、前記図柄の各構成部分のうち、少なくとも１つの構成部分に、隣り合う糸の隙間から基材の表面に着色された色彩が視認されるように糸を載置することにより、基材の表面に固着された複数の糸からなる層を薄くすることができ、立体画を製造するにあたり製造者による表現の幅を広げることができる。
【発明を実施するための最良の形態】
【００１８】
（本発明の第１の実施形態）
図１（ａ）はこの発明を実施するための第１の実施形態における立体画の基板の一例を示した平面図、図１（ｂ）は図１（ａ）に示す立体画の基板の矢視Ａ−Ａ線の断面図、図２はこの発明を実施するための第１の実施形態における立体画の製造方法を説明するための説明図、図３はこの発明を実施するための第１の実施形態における立体画の製造方法を説明するための説明図、図４（ａ）は図１に示す立体画をアクリル板によってカバーリングした状態を示した平面図、図４（ｂ）は図４（ａ）に示すカバーリングした立体画の矢視Ｂ−Ｂ線の断面図、図５は図１に示す立体画をパウチフィルムによってカバーリングする方法を説明するための説明図、図６は図１に示す立体画をコーティング材によってコーティングする方法を説明するための説明図、図７は図１に示す立体画をコーティング材によってコーティングする方法を説明するための説明図である。
【００１９】
図１乃至図７において、基板１０は、基材１の表面に剥離フィルム２を剥離可能に貼着する粘着剤３によって積層し構成している。なお、この第１の実施形態においては、基材１は厚紙１ａと色用紙１ｂとを貼り合わせた色台紙であるが、基材１は紙製品に限られるものではなく、アクリル板やガラス板等の硬質の板状部材であってもよい。また、粘着剤３は、基材１の表面に剥離フィルム２を剥離可能に貼着するものであればよく、両面テープによって、基材１と剥離フィルム２である離型紙とを貼り付けてもよい。
【００２０】
また、剥離フィルム２は、立体画１００の製造前又は製造中に、立体画１００に使用する糸５又は布以外の異物が粘着剤３に付着しないように、粘着面を保護できるものであればよく、セロハンやビニール等の半透明体又は透明体、紙等の不透明体であってもよい。また、剥離フィルム２は、表面に図柄４を描画し、この図柄４の各構成部分４ａに対応して分割できるように切りこみを入れることで、剥離フィルム２に切断線４ｂを形成している。
【００２１】
つぎに、立体画１００の製造方法について図２を用いて説明する。
まず、厚紙１ａと色用紙１ｂとを貼り合わせた基材１の表面全体に、粘着剤３を塗布し、粘着剤３を介して基材１の表面に、予め図柄４を描画した剥離フィルム２を貼り付ける（図２（ａ））。
【００２２】
なお、予め図柄４を描画した剥離フィルム２を使用するのではなく、粘着剤３を介して基材１の表面に剥離フィルム２を貼り付けた後に、剥離フィルム２の表面に図柄４を描画してもよい。また、粘着剤３として市販の両面テープを使用する場合には、基材１の表面全体に両面テープを貼り付け、この両面テープに付されている剥離フィルム２である離型紙に図柄４を描画してもよい。
【００２３】
つぎに、剥離フィルム２の表面に描画された図柄４における各構成部分４ａの境界に、カッターによって切り込みを入れる（図２（ｂ））。
続いて、基材１の表面のうち、これから糸５又は図示しない布を貼り付けようとする剥離フィルム２で覆われた部分（以下、目的部分と称す）である、図柄４の構成部分４ａに対応する剥離フィルム２を基材１に対して剥離する（図２（ｃ））。
【００２４】
つぎに、剥離フィルム２を剥離した図柄４の構成部分４ａに対応する基材１の表面に、粘着剤３を介して、糸５又は図示しない布を載置する（図３（ａ））。なお、糸５は、単色の糸を短く切った短片状の糸５ａ又は適度の長さに切った長片状の糸５ｂである。また、図柄４の各構成部分４ａに対応する基材１の表面には、粘着剤３を介して、一色のみからなる単色の糸５を載置させてもよいが、複数色からなる単色の糸５を混在させて載置させてもよい。特に、複数色からなる単色の短片状の糸５ａを混在させることで、並置混色の原理で中間色の色を作り出すことができる。
【００２５】
ここで、図柄４の構成部分４ａに対応する基材１の表面に、粘着剤３を介して、載置する糸５が、短片状の糸５ａである場合について説明する。
所望の色を作り出すために、それぞれの色を持つ短片状の糸５ａから一色又は複数色の糸を選び出し、鋏を使用して絵の具のように選び出した短片状の糸５ａを混ぜ合わせながら、必要な長さに短片状の糸５ａを切り刻む。この作業によって、短片状の糸５ａの相互の付着性が高まる。
【００２６】
なお、短片状の糸５ａの長さは、混ぜ易さや使い易さから、３ｍｍ〜５ｍｍであることが好ましい。特に、市販の単色の糸５は、様々は種類の色が存在するが、複数色からなる単色の短片状の糸５ａを混在させることで、市販の色の糸５と比較して、さらに自由な色を作り出すことができる。
つぎに、混ぜ合わせた短片状の糸５ａのうち、適量をピンセットで挟み取り、露出した粘着剤３の上に載置させ、ピンセットで形を整える。この作業を繰り返しながら図柄４を形成していく。
【００２７】
なお、載置した短片状の糸５ａと粘着剤３とが接している部分は、粘着剤３によって仮固着され、目的部分の剥離フィルム２を剥離し、形を形成するために、容易に図柄４と同様の形を形成することができる。また、短片状の糸５ａの長さ方向を揃える場合には、ピンセットで予め短片状の糸５ａの長さ方向を整えてから、粘着剤３上に載置する。
【００２８】
また、図柄４の構成部分４ａの辺に沿った長さの長片状の糸５ｂによって、この構成部分４ａに対応する基材１の表面に糸を敷き詰める場合には、長い糸５を両手で張り、この構成部分４ａに対応する露出した粘着剤３に糸５を貼り付けた後に、カッターでこの構成部分４ａに適合する長さに糸５を切り、長片状の糸５ｂを敷き詰めていく。
また、図柄４の構成部分４ａに対応する基材１の表面に、粘着剤３を介して、布を敷き詰める場合は、この構成部分４ａと同一の形状に布を裁断し、この布を、図柄４の構成部分４ａに対応する基材１の表面に、粘着剤３を介して、貼り付ける。
【００２９】
つぎに、接着剤６を使用して、基材１に対して糸５又は布の本固着を行なうのであるが、粘着剤３による仮固着の状態においては、仮固着を行っている糸５の本数を減らして、基材１の表面に仮固着された複数の糸５からなる層を薄くすること（以下、薄層状と称す）が可能である。また、新たな糸５を基材１の表面に仮固着された複数の糸５からなる層の上に載置して層を厚くすること（以下、厚層状と称す）も可能である。すなわち、複数の糸５による層の厚さの調整作業が容易であり、立体画１００の立体感を容易に作り出すことができる。また、仮固着した糸５を粘着剤３から剥離して、新たな糸５（例えば、剥離した糸５と異なる色の糸５）を載置することで、図柄４の各構成部分４ａの色又は素材を容易に修正することができる。
【００３０】
図柄４の全ての構成部分４ａに対応する基材１の表面に、粘着剤３を介して、糸５又は図示しない布を載置する作業が終了したら、霧吹き８を使用して基材１の表面全体に接着剤６を霧状に散布し（図３（ｂ））、糸５全体を基材１に対して本固着する。散布した接着剤６が乾燥することで、立体画１００が完成する。
【００３１】
なお、本固着に使用する接着剤６としては、自然物を材料としたもので、乾燥後の白濁がなく、糸５の持つ色彩の鮮やかさと柔らかさを損ねることなく、糸５を固定させることができる膠液を使用することが好ましい。
【００３２】
完成した立体画１００は、図４に示すように、図示しない接着剤によって連結した上板２１ａ、中板２１ｂ及び下板２１ｃの三層からなるアクリル板２１によって保護する。なお、中板２１ｂは、立体画１００の周縁部を囲む貫通孔によって、立体画１００の水平移動を規制している。また、上板２１ａ及び下板２１ｃは、中板２１ｂの貫通孔に嵌合した立体画１００と中板２１ｂとを上下で挟持することで、立体画１００の垂直移動を規制している。
【００３３】
なお、立体画１００に対するアクリル板２１によるカバーリングは、立体画１００を含めた額縁の重量が重くなるうえに、図示しない接着剤をアクリル板２１に使用する作業により手間がかかる。このため、図５に示すように、パウチフィルム２２に立体画１００を挟んで（図５（ａ））、パウチフィルム２２の周縁部をアイロン２３で熱圧着し（図５（ｂ））、立体画１００の部分に、ドライヤー２４により熱を与えることで（図５（ｃ））、立体画１００をパウチフィルム２２によって容易に保護することが可能となる。
【００３４】
また、立体画１００の表面に液状のゴムをスプレーした後に、図６に示すように、立体画１００を膠液等のコーティング材３１によってコーティングすることで、立体画１００に光沢を持たせることができる。このコーティング方法は、まず、立体画１００の表面の面積より広い開口部を持つ容器３２内に、液状のコーティング材３１を、深さが５ｍｍ程度となるように溜める（図６（ａ））。
【００３５】
つぎに、立体画１００の表面が下側となるように裏返し、容器３２内のコーティング材３１に立体画１００を浸す（図６（ｂ））。
つぎに、容器３２内の液状のコーティング材３１がゲル化すると、容器３２の底に設けた空気孔３２ａの栓３２ｂを抜くことで、容器３２とコーティング材３１との間隙に空気を挿入することができ（図７（ａ））、容器３２からコーティングした立体画１００をきれいに抜き取ることができる。
そして、コーティング材３１を乾燥させることで、コーティングした立体画１００が完成する（図７（ｂ））。
【００３６】
以上のように、この第１の実施形態における立体画１００においては、粘着剤３の表面に貼着した剥離フィルム２に切り込みを入れ、目的部分の剥離フィルム２を剥がして糸５又は布を仮固着するために、図柄４どおりに糸５又は布の形を整えることができる。
【００３７】
また、図柄４の全ての構成部分４ａに対応する基材１の表面に、粘着剤３を介して、糸５又は布を貼着した後に、接着剤６によって本固着を行なうために、本固着前の作業工程中に、基材１から糸５又は布を剥離したり付加したりすることが自由にできるために、立体画１００の修正を容易に行なうことができる。
【００３８】
また、短片状の糸５ａを混ぜたり重ねたりして基材１に貼り付けることで、他の工芸画等にない独特の立体感を持ち、鮮やかな色合いや深みのある色合いを自由に表現することができる。特に、優しい質感や鮮やかな色合いで見た人の心を和ませる、今までにない立体画１００を製造することができる。
また、身近にある糸５を材料とし、身近な道具を使用して、誰もが絵画の感覚で手軽に立体画１００に取り組むことができる。
【００３９】
（本発明の第２の実施形態）
図８（ａ）はこの発明を実施するための第２の実施形態における立体画の基板の一例を示した平面図、図８（ｂ）は図８（ａ）に示す立体画の基板の矢視Ｃ−Ｃ線の断面図である。図８において、図１乃至図７と同じ符号は、同一または相当部分を示し、その説明を省略する。
【００４０】
この第２の実施形態においては、剥離フィルム２の表面に図柄４を描画する替わりに、基材１の表面に図柄４を描画しているところのみが第１の実施形態と異なるところであり、後述する基材１の表面に図柄４を描画することによる作用効果以外は、第１の実施形態と同様の作用効果を奏する。
【００４１】
この第２の実施形態における立体画１００によれば、基板１０は、基材１の表面に図柄４を描画し、半透明体又は透明体の剥離フィルム２を剥離可能に貼着する半透明体又は透明体の粘着剤３によって積層し構成している。
【００４２】
なお、この第２の実施形態においては、基材１は厚紙１ａと色用紙１ｂとを貼りあわせた色台紙であり、この色台紙に図柄４を描画している。また、図柄４を描いた色台紙の表面に剥離可能で透明な粘着剤３を満遍なく塗り、粘着剤３の表面に透明な剥離フィルム２を貼り付けている。また、図柄４の各構成部分４ａの境界に、カッターによって切り込みを入れる。
【００４３】
特に、基材１は、図柄４が表面に描画され、図柄４の各構成部分４ａに配置する糸５と同系色の色彩が表面に着色されていることが好ましい。これにより、基材１の表面に固着させた隣り合う糸５に隙間が生じている場合であっても、隣り合う糸５の隙間を目立たなくすることができる。
【００４４】
また、図柄４の各構成部分４ａのうち、少なくとも１つの構成部分４ａに、隣り合う糸５の隙間から基材１の表面に着色された色彩が視認されるように糸５を載置することにより、基材１の表面に固着された複数の糸５からなる層を薄くすることができ、立体画１００を製造するにあたり製造者による表現の幅を広げることができる。
【００４５】
（本発明の第３の実施形態）
図９はこの発明を実施するための第３の実施形態における立体画の製造方法のうち固着工程を説明するための説明図である。図９において、図１乃至図８と同じ符号は、同一または相当部分を示し、その説明を省略する。
この第３の実施形態においては、接着剤６を使用せずに水溶性接着剤を含有した糸５を使用するところのみが第１の実施形態及び第２の実施形態と異なるところであり、後述する、水溶性接着剤を含有した糸５による作用効果以外は、第１の実施形態及び第２の実施形態と同様の作用効果を奏する。
【００４６】
糸５に含有させた水溶性接着剤としては、例えば、澱粉、酸化澱粉、カチオン化澱粉、エーテル化澱粉、リン酸エステル化澱粉等の澱粉誘導体、カルボキシメチルセルロース、ヒドロキシメチルセルロース、ヒドロキシエチルセルロース、セルロースサルフェート等のセルロース誘導体、各種鹸化度のポリビニルアルコール又はそのシラノール変性物、カルボキシル化物、カチオン化物等の各種誘導体、膠、カゼイン、ゼラチン、変性ゼラチン、大豆蛋白等の天然高分子、ポリビニルピロリドン、ポリアクリル酸ナトリウム、スチレン−無水マレイン酸共重合体ナトリウム塩、ポリスチレンスルフォン酸ナトリウム等の水溶性合成高分子が挙げられる。
【００４７】
つぎに、図９を用いて、第３の実施形態における立体画の製造方法のうち固着工程を説明する。なお、前述した第１の実施形態又は第２の実施形態における、剥離フィルム２を剥離した図柄４の構成部分４ａに対応する基材１の表面に、粘着材３を介して、糸５を載置する載置工程までは、載置する糸５が水溶性接着剤を含有している糸５である以外は、同様の製造工程であるので、ここでの説明は省略する。
【００４８】
図９（ａ）に示すように、粘着剤３を介して、水溶性接着剤を含有した糸５を載置した図柄４の構成部分４ａに対応する基材１の表面に対して、霧吹き８を使用して水分７を霧状に散布する。そして、この水分７によって糸５に含有した水溶性接着剤を溶解させ、糸５から滲み出した水溶性接着剤によって、水溶性接着剤が滲み出した糸５と隣接する糸５又は粘着剤３とを本固着する。
これにより、基材１に対して糸５を容易に本固着することができるうえに、糸５上に配置させたために粘着剤３に当接していない糸５についても、滲み出した水溶性接着剤によって、固着することが可能である。
【００４９】
また、立体画１００が未完成な状態であっても、製造途中の立体画１００における糸５は基材１に対して本固着されているために、図９（ｂ）に示すように、立体画１００の製造者２００は、製造途中で立体画１００を立て、遠方から立体画１００を見ながら、製造できるようになり、異なった視点により立体画１００を製造することができる。
また、未完成の立体画１００を容易に持ち運びすることができる。
【００５０】
なお、この第３の実施形態においては、霧吹き８を使用して、水溶性接着剤を含有した糸５に水分７を与えたが、水溶性接着剤を含有した糸５に水分７を与えることができるのであれば、霧吹き８を使用することに限られるものではなく、水分７を滲み込ませた筆、スポイト又はスポンジ等を使用して、水溶性接着剤を含有した糸５に水分７を与えることも可能である。
【００５１】
（本発明の第４の実施形態）
図１０（ａ）はこの発明を実施するための第４の実施形態における立体画の図柄シールの一例を示した平面図、図１０（ｂ）は図１０（ａ）に示す立体画の図柄シールの矢視Ｄ−Ｄ線の断面図、図１１はこの発明を実施するための第４の実施形態における立体画の製造方法のうち貼着工程を説明するための説明図である。図１０及び図１１において、図１乃至図９と同じ符号は、同一または相当部分を示し、その説明を省略する。
【００５２】
この第４の実施形態においては、基材上に立体画を形成するのではなく、壁面や立体物に立体画を形成するところのみが第１の実施形態乃至第３の実施形態と異なるところであり、後述する、図柄シール１１による作用効果以外は、第１の実施形態乃至第３の実施形態と同様の作用効果を奏する。
【００５３】
図１０及び図１１において、図柄シール１１は、基材１の表面に図柄４を描画し、基材１の裏面に、第１の剥離フィルム２ａを剥離可能に貼着する第１の粘着剤３ａによって積層し、基材１の表面に、半透明体又は透明体の第２の剥離フィルム２ｂを剥離可能に貼着する半透明体又は透明体の第２の粘着剤３ｂによって積層し、構成している。
【００５４】
なお、基材１の表面に図柄４を描画する替わりに、半透明体又は透明体に限らない第２の剥離フィルム２の表面に図柄４を描画して、図柄シール１１を構成してもよいが、第２の実施形態において前述したように、基材１の表面に固着させる隣り合う糸５に隙間が生じている場合であっても、隣り合う糸５の隙間を目立たなくすることができるので、基材１の表面に図柄４を描画して、図柄４の各構成部分４ａに配置する糸５と同系色の色彩が表面に着色されていることが好ましい。
【００５５】
つぎに、図１１を用いて、第４の実施形態における立体画の製造方法のうち貼着工程を説明する。なお、前述した第１の実施形態、第２の実施形態又は第３の実施形態における、剥離フィルム２（この第４の実施形態においては、第２の剥離フィルム２ｂ）を剥離した図柄４の構成部分４ａに対応する基材１の表面に、粘着材３（この第４の実施形態においては、第２の粘着剤３ｂ）を介して、水溶性接着剤を含有している糸５を載置させ、霧吹き８を使用して水分７を霧状に散布することで、糸５に含有した水溶性接着剤を溶解させ、糸５から滲み出した水溶性接着剤によって、水溶性接着剤が滲み出した糸５と隣接する糸５又は粘着剤３とを本固着する固着工程は、同様の製造工程であるので、ここでの説明は省略する。
【００５６】
まず、鋏を使用して、図柄４の構成部分４ａの境界に沿って、図柄シール１１を裁断する。なお、この第４の実施形態においては、鋏を使用して図柄シール１１を裁断しているが、図柄シール１１を裁断することができる道具であれば、鋏に限られるものではなく、カッター又はナイフ等の物を切る刃物であってもよい。そして、裁断した図柄シール１１のうち、目的部分である構成部分４ａの図柄シール１１における第１の剥離フィルム２ａを基材１から剥離し、これから立体画を形成しようとする壁面１２又は図示しない立体物に、第１の粘着剤３ａを当接させて、図柄シール１１（第１の構成部分１１ａ）を壁面１２又は図示しない立体物に貼り付ける（図１１（ａ））。そして、前述した第１の実施形態、第２の実施形態又は第３の実施形態における、固着工程までを実行する。
【００５７】
同様に、目的部分として、例えば、同一の色彩とする図柄４の構成部分４ａ毎に、図柄シール１１（第２の構成部分１１ｂ、第３の構成部分１１ｃ）を壁面１２又は図示しない立体物に貼り付ける（図１１（ｂ），図１１（ｃ））。そして、前述した第１の実施形態、第２の実施形態又は第３の実施形態における、固着工程までをそれぞれ実行することで、立体画を完成する。このように、この第４の実施形態においては、壁面又は立体物に対して、立体画の製造が可能となる。
【実施例】
【００５８】
図１２を用いて、具体的な図柄４による立体画１００の製造方法について説明する。なお、図１２は具体的な図柄が描画された基板の平面図である。図１２において、図１乃至図１１と同じ符号は、同一または相当部分を示し、その説明を省略する。
【００５９】
まずは、基材１である、厚紙１ａに色用紙１ｂを貼り合わせた色台紙に、粘着剤３である両面テープを貼り付ける。また、この両面テープに付された剥離フィルム２である離型紙に図柄４を描画する。さらに、図柄４の構成部分４ａの境界に沿って、カッターで切り込みを入れる。
【００６０】
つぎに、図１２に示すように、図柄４のひまわり畑の制作に取りかかる。
まず、切り込みによる切断線４ｂで囲まれた領域４１ａ（以下、第１の領域４１ａと称す）の離型紙を剥がし、露出した粘着剤３である両面テープ上に、黄色の短片状の糸５ａをピンセットで適量置きながら花びらの形を整える。
【００６１】
同様に、第２の領域４１ｂに黄土色の短片状の糸５ａを使用し、第３の領域４１ｃに茶色の短片状の糸５ａと黄土色の短片状の糸５ａとを混合した短片状の糸５ａを使用して、ひまわりの花の形成を行なう。なお、一輪毎に花びらの色を変えることが望ましく、具体的には、花びらの色は、レモン色、黄色又はオレンジ色等の３色程度が望ましい。
【００６２】
ひまわり畑の全ての花に対して短片状の糸５ａの貼り付け作業を終えたら、第４の領域４１ｄの離型紙を剥がし、緑色の短片状の糸５ａと黄緑色の短片状の糸５ａと藍色の短片状の糸５ａとを混合した短片状の糸５ａを、露出した粘着剤３上に載置してから、適量に減らして薄層状にする。
【００６３】
つぎに、薄層状の第４の領域４１ｄ上に薄緑色の短片状の糸５ａを適量置きながらピンセットで形を整え、茎と葉の部分を形成する。これにより、薄層状の第４の領域４１ｄに、厚層状の花びらが浮き上がり、立体画１００に立体感が生まれる。
【００６４】
つぎに、第５の領域４１ｅの離型紙を剥がし、露出した粘着剤３上に、茶色の短片状の糸５ａと黄色の短片状の糸５ａと黄緑色の短片状の糸５ａと緑色の短片状の糸５ａとを混合した短片状の糸５ａを載置していく。この混合した短片状の糸５ａを載置することで、ひまわり畑が遠方まで続いていくように見える。なお、上部の丘の部分は、黄色、黄緑色、緑色として、徐々に色の変化をもたせ、丘の丸みを表現する。
【００６５】
図柄４の空の部分については、まず、第６の領域４１ｆの離型紙を剥がし、露出した粘着剤３上に、白色の短片状の糸５ａと水色の短片状の糸５ａと灰色の短片状の糸５ａとを混合した適量の短片状の糸５ａを載置しながら、厚層状の入道雲を形成する。
【００６６】
そして、第７の領域４１ｇの離型紙を剥がし、露出した粘着剤３上に、図柄４の下側から上側にかけて、エメラルドグリーン、水色、青色の順に、徐々に短片状の糸５ａの色を変えながら載置していくことで、空の広がりを表現する。これにより、青空の広がりをバックに、厚層状の入道雲がもくもくと立ち上がることで、立体画１００に独特の立体感が生まれる。
【００６７】
また、雲と空の下部に、灰色と水色との中間色の短片状の糸５ａを載置させ、薄い雲がかかっているように表現する。このように、薄い雲のボカシを入れることで、雲の遠近感が増し、立体画１００の鑑賞者に対して、より手前まで入道雲が迫ってくるように見える。
【００６８】
なお、空の部分をすっきりさせ、ひまわり畑と入道雲とをより引き立たせるため、短片状の糸５ａの替わりに、基板１０の上辺にほぼ平行に伸ばした糸５を、第７の領域４１ｇにおける露出した粘着剤３に貼り付け、第７の領域４１ｇからはみ出した糸５を切り、隣り合う糸５の隙間がないように長片状の糸５ｂを第７の領域４１ｇに敷き詰めてもよい。また、第７の領域４１ｇに対して、短片状の糸５ａの替わりに、第７の領域４１ｇと同一形状の布を貼り付けてもよい。
【００６９】
つぎに、第８の領域４１ｈの離型紙を剥がし、露出した粘着剤３上に、こげ茶色の短片状の糸５ａで木の部分を形成し、深緑色の短片状の糸５ａで葉の部分を形成する。
そして、立体画１００の全体の修正を行なって、ひまわりの図柄４による立体画１００の完成である。なお、ひまわりの図柄４の制作手順については、一例を挙げたが、この手順に限られるものではなく、図柄４の制作が行ないやすい手順にて制作してもよい。
【００７０】
図柄４の制作が終了したら、基材１の表面に配置した糸５全体に対して接着剤６を霧状に吹き付ける。そして、接着剤６が乾燥することで、糸５を基材１に対して完全に固着させることができる。
最後に、上板２１ａ、中板２１ｂ及び下板２１ｃの３層からなるアクリル板２１等で、立体画１００を保護する。
【図面の簡単な説明】
【００７１】
【図１】この発明を実施するための第１の実施形態における立体画の基板の一例を示した図であり、（ａ）は平面図、（ｂ）は図１（ａ）に示す立体画の基板の矢視Ａ−Ａ線の断面図である。
【図２】この発明を実施するための第１の実施形態における立体画の製造方法を説明するための説明図である。
【図３】この発明を実施するための第１の実施形態における立体画の製造方法を説明するための説明図である。
【図４】図１に示す立体画をアクリル板によってカバーリングした状態を示した図であり、（ａ）は平面図、（ｂ）は図４（ａ）に示すカバーリングした立体画の矢視Ｂ−Ｂ線の断面図である。
【図５】図１に示す立体画をパウチフィルムによってカバーリングする方法を説明するための説明図である。
【図６】図１に示す立体画をコーティング材によってコーティングする方法を説明するための説明図である。
【図７】図１に示す立体画をコーティング材によってコーティングする方法を説明するための説明図である。
【図８】この発明を実施するための第２の実施形態における立体画の基板の一例を示した図であり、（ａ）は平面図、（ｂ）は図８（ａ）に示す立体画の基板の矢視Ｃ−Ｃ線の断面図である。
【図９】この発明を実施するための第３の実施形態における立体画の製造方法のうち固着工程を説明するための説明図である。
【図１０】この発明を実施するための第４の実施形態における立体画の図柄シールの一例を示した図であり、（ａ）は平面図、（ｂ）は図１０（ａ）に示す立体画の図柄シールの矢視Ｄ−Ｄ線の断面図である。
【図１１】この発明を実施するための第４の実施形態における立体画の製造方法のうち貼着工程を説明するための説明図である。
【図１２】具体的な図柄が描画された基板の平面図である。
【符号の説明】
【００７２】
１      基材
１ａ    厚紙
１ｂ    色用紙
２      剥離フィルム
２ａ    第１の剥離フィルム
２ｂ    第２の剥離フィルム
３      粘着剤
３ａ    第１の粘着剤
３ｂ    第２の粘着剤
４      図柄
４ａ    構成部分
４ｂ    切断線
５      糸
５ａ    短片状の糸
５ｂ    長片状の糸
６      接着剤
７      水分
８      霧吹き
１０      基板
１１      図柄シール
１１ａ    第１の構成部分
１１ｂ    第２の構成部分
１１ｃ    第３の構成部分
１２      壁面
２１      アクリル板
２１ａ    上板
２１ｂ    中板
２１ｃ    下板
２２      パウチフィルム
２３      アイロン
２４      ドライヤー
３１      コーティング材
３２      容器
３２ａ    空気孔
３２ｂ    栓
４１ａ    第１の領域
４１ｂ    第２の領域
４１ｃ    第３の領域
４１ｄ    第４の領域
４１ｅ    第５の領域
４１ｆ    第６の領域
４１ｇ    第７の領域
４１ｈ    第８の領域
１００    立体画
２００    製作者
【図１】
2008055626.tif 000003
【図２】
2008055626.tif 000004
【図３】
2008055626.tif 000005
【図４】
2008055626.tif 000006
【図５】
2008055626.tif 000007
【図６】
2008055626.tif 000008
【図７】
2008055626.tif 000009
【図８】
2008055626.tif 000010
【図９】
2008055626.tif 000011
【図１０】
2008055626.tif 000012
【図１１】
2008055626.tif 000013
【図１２】
2008055626.tif 000014